(57)【要約】【課題】弛み状態のロープであってもクリップ位置がずれることなく簡単に挟持し、クリップ位置の変更調整やロープ取替えなどの作業も簡単且つ安全に効率よく行うロープクリップを提供する。【解決手段】ロープクリップＣは、ワイヤロープＷを差し通し状態で挿設する差し通し溝１５を凹設したホルダ１０と、ホルダにカム軸２５を中心に回動自在に連結し、上部の周縁にカム面４５を形成したロープ押えカム２０と、一端をロープ押えカムに掛け止め、他端をホルダに掛け止めてロープ押えカムを、カム面が差し通し溝の内周面に押し当たる向きに常時付勢する付勢ばね３０とを備え、ホルダには、差し通し溝を外部に臨ませるロープ嵌込口３５を形成し、ホルダとロープロープ押えカムには、それぞれ互いに片手で握れる間隔をあけて伸びるレバーハンドル４０・４１を突設している。【選択図】          図１
2010286080.tif 000002
【特許請求の範囲】
【請求項１】
ロープを、その長さ方向に差し通し状態で挿設する差し通し溝を凹設してなるホルダと、
該ホルダにカム軸を中心として回動自在に連結し、上部の周縁に該カム軸が貫挿する軸穴からの距離が徐々に異なる円弧状のカム面を形成してなるロープ押えカムと、
一端を該ロープ押えカムに掛け止め、他端を前記ホルダに掛け止めて、前記ロープ押えカムを、前記カム面が前記差し通し溝の内周面に押し当たる向きに常時付勢する付勢ばねと、を備え、
前記ホルダには、前記差し通し溝を外部に臨ませるロープ嵌込口を形成し、該ホルダと前記ロープ押えカムには、それぞれ互いに片手で握れる間隔をあけて伸びるレバーハンドルを突設してなることを特徴とする、ロープクリップ。
【発明の詳細な説明】
【技術分野】
【０００１】
本発明は、港湾等で船内からコンテナ貨物等を降ろしたり船内に積み込んだりする水切りなどに使用されるワイヤロープ等のロープを挟持するロープクリップに関する。
【背景技術】
【０００２】
従来のロープクリップ１の中には、例えば図８に示すように、断面Ｕ形のクリップ本体２と、クリップ本体２内でワイヤロープＷに押し当てる押圧カム３と、押圧カム３をクリップ本体２に回動可能に連結する、抜け止め凸部４ａを有したカム軸４とを備え、クリップ本体２と押圧カム３の連通軸穴５に抜け止め凸部４ａと対応する係止溝５ａを形成し、押圧カム３には、上部の周縁に沿ってカム面３ａを形成する一方、下部に係合穴３ｂを設けた構成のものがある（特許文献１参照）。
【０００３】
従来、この種のロープクリップ１は、例えばビルの建設で鉄骨を組み上げる場合において、図９に示すように、押圧カム３の係合穴３ｂにフック６ａを係合させて結んだレバーホイスト６のチェーン７を巻き上げてワイヤロープＷを引っ張ることにより鉄骨柱ａの対角線間の距離を調整して鉄骨柱ａの垂直度を矯正するときに使用されている。
【０００４】
その場合、ロープクリップ１は、図８に示すように、クリップ本体２内にワイヤロープＷを所望のグリップ部位において差し挟み、次いで、押圧カム３を差し入れてから、抜け止め凸部４ａを係止溝５ａに合わせて、連通軸穴５にカム軸４を挿通させた後に半回転させて抜け止め状態とし、このカム軸で押圧カム３をクリップ本体２に回動可能に連結して組み立てる。しかる後、組み立てたロープクリップ１を、レバーホイスト６を操作してチェーン７を巻き上げることにより引っ張ると、それに従い、図１０に示すように引張負荷がＦ方向にかかるために、押圧カム３が図中時計方向に回動してカム面３ａがワイヤロープＷに押し当り、カム面３ａとクリップ本体２の内周面との間でワイヤロープＷを挟持する。すると、図９に示すように、ワイヤロープＷとチェーン７とが鉄骨柱ａの対角線間で張り渡され、その張力で鉄骨柱ａの垂直度が矯正されるようになっている。
【先行技術文献】
【特許文献】
【０００５】
【特許文献１】特開平９−２４２７３８号公報
【発明の概要】
【発明が解決しようとする課題】
【０００６】
ところが、従来のロープクリップ１は、ワイヤロープＷを挟持するとき、そのたびに、予め分解しておいたクリップ本体２内に、ワイヤロープＷを差し挟んでから、押圧カム３を差し入れ、連通軸穴５にカム軸４を挿通させた後に半回転させて抜け止めし、カム軸４で押圧カム３をクリップ本体２に回動可能に連結する、つまり、いちいちロープクリップ１として組み立ててから、チェーン７の巻き上げによって引っ張って初めて、ワイヤロープＷを挟持することができるため、それではワイヤロープＷのクリップ作業に手間がかかり過ぎるという課題があった。一方、ロープクリップ１をワイヤロープＷから取り外すときは、反対に、レバーホイスト６でチェーン７を繰り出してワイヤロープＷの張り具合を緩めた後、カム軸４を逆向きに半回転させて抜け止めを解いてから、連通軸穴５から引き抜いて押圧カム３とクリップ本体２の連結を外す必要があり、つまり、いちいちロープクリップ１を分解しなければならず、これではロープクリップの取外し作業にも手間がかかり過ぎるという課題があった。
【０００７】
また、従来のロープクリップ１は、ワイヤロープＷを取り替えるときも、その都度、レバーホイスト６でチェーン７を繰り出してワイヤロープＷの張り具合を緩めてから、いちいちロープクリップ１を分解しなければならないため、ロープ取替え作業に手間がかかり過ぎるという課題があった。
【０００８】
更に、従来のロープクリップ１は、必要に応じて、ワイヤロープＷのクリップ位置を変更する場合も、いちいちレバーホイスト６の操作でチェーン７を繰り出してワイヤロープＷの張り具合を緩めて、押圧カム３による押し当てを解除して初めて、クリップ位置の移動調整が可能になるため、これではクリップ位置の変更作業に手間がかかるという課題があった。しかも、従来のロープクリップ１では、クリップ位置が高所であると、以上のロープクリップの取付け・取外しやロープ取替えやクリップ位置の変更に手間のかかる分だけ各作業に危険性を伴い、作業の安全性に欠けるという課題があった。
【０００９】
加えて、従来のロープクリップ１は、レバーホイスト６でチェーン７を巻き上げてワイヤロープＷが常に張り渡し状態にないと、カム３が逆向きに回動してワイヤロープＷに対する押し付けが緩み、クリップ位置がずれてしまう。従って、例えばコンテナ貨物等の重量物を、所定の設置位置へ移動するために、ワイヤロープＷを使って押したり引いたりして芯出し作業をするとき、作業途中にワイヤロープＷが緩んだ状態になると、クリップ位置がずれ動いて芯出し等の作業の妨げになるという課題があった。
【００１０】
従って、従来のロープクリップ１では、そのような芯出し等の作業を行う場合、ワイヤロープＷが弛んでクリップ位置がずれることがないように、レバーホイスト６を操作する作業者とは別に、クリップ位置の近くでロープクリップ１を動かないように押える作業者が必要となり、これでは作業者の員数が増加して作業効率が悪いという課題もあった。
【００１１】
本発明の目的は、上述のように弛み状態のワイヤロープであってもクリップ位置がずれることなく簡単に挟持し、クリップ位置の変更調整やロープ取替えなどの作業も簡単且つ安全に効率よく行うロープクリップを提供することにある。
【００１２】
本発明のロープクリップは、たとえば以下に示す図示実施の形態のとおり、ワイヤロープＷのようなロープを、その長さ方向に差し通し状態で挿設する差し通し溝１５を凹設してなるホルダ１０と、該ホルダ１０にカム軸２５を中心として回動自在に連結し、上部の周縁に該カム軸２５が貫挿する軸穴２１からの距離が徐々に異なる円弧状のカム面４５を形成してなるロープ押えカム２０と、一端を該ロープ押えカム２０に掛け止め、他端を前記ホルダ１０に掛け止めて、前記ロープ押えカム２０を、前記カム面４５が前記差し通し溝１５の内周面に押し当たる向きに常時付勢する付勢ばね３０と、を備え、前記ホルダ１０には、前記差し通し溝１５を外部に臨ませるロープ嵌込口３５を形成し、該ホルダ１０と前記ロープ押えカム２０には、それぞれ互いに片手で握れる間隔をあけて伸びるレバーハンドル４０・４１を突設してなることを特徴とする。
【発明の効果】
【００１３】
本発明のロープクリップは、ロープを挟持するとき、片手でレバーハンドルを握って、ロープ押えカムを付勢ばねに抗して回動し、ホルダのロープ嵌込口を開放して差し通し溝を外部に臨ませた状態にしてから、ロープの所望のグリップ部位を、ロープ嵌込口から横に差し通し溝に嵌め込んで長さ方向に差し通し状態で挿設し、しかる後、レバーハンドルの握りを緩めると、ロープ押えカムが付勢ばねの付勢力によって回動し、このばね付勢力でカム面をロープに押し付けてカム面と差し通し溝との間でロープを掴んで挟持する。このように本発明のロープクリップは、付勢ばねの付勢力に基づいてロープ押えカムを押し付けてロープを挟持するので、ロープは常に張り渡し状態になくてもよく、それ故に、適度に弛んだ状態でロープを結んでコンテナ貨物等を固持する水切り作業においても、ロープの弛みに関係なく、クリップ位置をずらさないでロープを常に確実に掴んで挟持することができる。従って、本発明では、そのような水切りに限らず、コンテナ貨物等の重量物を、所定の設置位置へ移動させるためにロープを使って押したり引いたりして芯出し作業をする場合など、作業途中にロープが緩んだ状態になる作業においても、同様に、ロープの弛みに関係なく、クリップ位置をずらさないでロープを常に確実に掴んで挟持することができる。それ故に、本発明では、そのような水切りや芯出し等の作業を行う場合に、弛んだロープであっても、クリップ位置をずらさないで常に確実に挟持することから、レバーホイスト等の引張手段を操作する作業者とは別に、他の作業者がクリップ位置の近くで、ずれ動かないようにロープクリップを押える必要がなく、それだけ作業者の員数の増加を抑えて効率を上げることができる。
【００１４】
更に、本発明のロープクリップは、ロープを挟持するとき、上述のように片手でレバーハンドルを握ってロープ押えカムを回動し、ホルダのロープ嵌込口を開放して差し通し溝を外部に臨ませた状態にしてから、ロープのグリップ部位を、ロープ嵌込口から横に差し通し溝に嵌め込んで差し通し状態にすれば、あとはレバーハンドルの握りを緩めだけでよく、そうすればロープ押えカムが付勢ばねの付勢力で逆向きに回動してロープを挟持し、従来のような分解部品の組立工程なしで、手間なく簡単にロープを挟持することができる。
【００１５】
一方、本発明のロープクリップは、挟持したロープから取り外すときは、片手でレバーハンドルを握ってロープ押えカムを回動し、ロープ嵌込口を開放して差し通し溝からロープのグリップ部位を取り出すだけで済み、いちいち部品を分解することなく、手間なく簡単にロープクリップをロープから取り外すことができる。また、本発明のロープクリップは、ロープを取り替えるときも、片手でレバーハンドルを握ってロープ押えカムを回動し、ロープ嵌込口を開放して差し通し溝からロープのグリップ部位を取り出して後、そのまま新たなロープのグリップ部位を、ロープ嵌込口から横の差し通し溝に差し通し状態に嵌め込めば、あとはレバーハンドルの握りを緩めるだけでよく、手間なく簡単にロープを取り替えることができる。
【００１６】
加えて、本発明のロープクリップは、必要に応じて、ロープのクリップ位置を変更する場合も、片手でレバーハンドルを握ってロープ押えカムを回動し、付勢ばねによるカム面のロープに対する押し付けを緩めれば、後は、そのままロープの長さ方向にずれ動かすだけで済み、手間なく簡単にクリップ位置を調整することができる。
【００１７】
以って、本発明のロープクリップは、ロープのクリップ位置が、たとえ高所であっても、以上のようにロープを挟持して取り付ける作業のほか、その取外しやロープ取替えやクリップ位置の変更等の作業が手間なく簡単であるため、それだけ危険性が少なく、高所作業を安全に行うことができる。
【図面の簡単な説明】
【００１８】
【図１】本発明のロープクリップをワイヤロープの挟持状態で示す斜視図である。
【図２】ロープクリップを示す正面図である。
【図３】ロープクリップを示す背面図である。
【図４】ロープクリップを示す側面図である。
【図５】ロープクリップを水切りに使用する船倉内の状態を示す概略説明図である。
【図６】他例のロープクリップを示す正面図である。
【図７】他例のロープクリップの使用状態を示す概略説明図である。
【図８】従来のロープクリップを示す分解組立斜視図である。
【図９】従来のロープクリップをビル建設の際の鉄骨歪み取りに使用する状態を示す概略説明図である。
【図１０】従来のロープクリップのロープ押えカムの作用を示す縦断面図である。
【発明を実施するための形態】
【００１９】
以下、図面を参照しつつ、本発明の実施形態について説明する。
【００２０】
図１は、本発明の一例であるロープクリップをワイヤロープの挟持状態で示す斜視図、図２は正面図、図３は背面図、図４は側面図である。本発明のロープクリップＣは、水切りなどに使用されるロープ、例えばワイヤロープＷを所望のグリップ位置で挟持する金属製の治具で、ホルダ１０と、ロープ押えカム２０と、圧縮コイルスプリングからなる一対の付勢ばね３０とを備えた構成になっている。
【００２１】
ホルダ１０は、互いに対向する片側の第１側板１１と他側の第２側板１２および両側板１１・１２を連結する連結アーム１３とで一体に形成されてなる。
【００２２】
第１側板１１は、平板な本体の支持板部１１ａと、支持板部１１ａの片側（図中上部）を断面略円弧形に曲げ起こして成形されたロープ挿設部１１ｂとからなる。支持板部１１ａには、中央にカム軸２５を挿通する軸穴１４を設け、ロープ挿設部１１ｂには、内周に差し通し溝１５を凹設してなる。第２側板１２は、第１側板１１の支持板部１１ａより幅の狭い横長な平板からなり、中央に支持板部１１ａの軸穴１４と同様な軸穴１６を有し、片側端縁に湾曲して伸びる棒状のレバーハンドル４０を突設してなる。また、第２側板１２には、軸穴１６とレバーハンドル４０との間にＴ形の支持金具１７を立設し、支持金具１７に、先端にフック部１８ａを有したＬ形の掛け金具１８のリング部１８ｂを回動可能に係着している。一方、第１側板１１には、ロープ挿設部１１ｂ上にＬ状の受け具１９を突設している。連結アーム１３は、コ形に曲げ成形し、一端を第１側板１１の支持板部１１ａに溶着する一方、他端を第２側板１２に溶着して両側板１１・１２を一体に連結し、両側板１１・１２間にカム回動空間Ｓを形成すると共に、第１側板１１のロープ挿設部１１ｂと第２側板１２との間に差し通し溝１５を外部に臨ませる横長なロープ嵌込口３５を開けてなる。
【００２３】
ロープ押えカム２０は、楕円な板カム状をなし、中央寄りにホルダ１０側の軸穴１４・１６と同様な軸穴２１を有し、片側（図中上側）の周縁には、軸穴２１からの距離が徐々に異なる円弧状のカム面４５を形成し、他側（図中下側）に大きな係合穴２２を設けた形状になっている。カム面４５には、ワイヤロープＷに押し当たるロープ押えカム２０の図中上部寄りをワイヤロープＷに合わせて断面円弧状の凹溝４５ａを形成している。また、係合穴２２の横の周縁には、レバーハンドル４０と対をなす同様に湾曲して伸びる棒状のレバーハンドル４１を突設している。そして、レバーハンドル４０・４１は、それぞれホルダ１０とロープ押えカム２０に互いに片手で握れる間隔をあけて突設してなる。
【００２４】
そこで、ロープクリップＣは、ホルダ１０のカム回動空間Ｓにカム面４５から入れてロープ押えカム２０を差し込み、軸穴２１をホルダ１０側の軸穴１４・１６に合わせてカム軸２５を貫挿してから、カム軸２５の先端に有したすり割２５ａに抜け止め片２３を打ち込んでカム軸２５をホルダ１０に固定し、カム軸２５を中心にロープ押えカム２０をホルダ１０に回動自在に連結する。次いで、一対の付勢ばね３０の一端をそれぞれホルダ１０の連結アーム１３のばね掛け部１３ａに掛け止め、他端をそれぞれロープ押えカム２０の係合穴２２側に有するばね掛け部２０ａに掛け止めて、ロープ押えカム２０を付勢ばね３０で図中時計方向に常時回動付勢し、カム面４５が常に差し通し溝１５の内周面に押し当たる状態で組み立ててなる。
【００２５】
さて、上述した構成のロープクリップＣは、たとえば港湾での水切りの作業過程において、図５に示すように、引張手段のレバーホイスト５０等と共に使用し、船倉Ａ内の所定位置にコンテナ貨物Ｂを荷振れ防止状態で固持するために、コンテナ貨物Ｂに結んだワイヤロープＷを挟持する。しかし、重量が、例えば３０〜１００トンの大型コンテナ貨物Ｂの水切りの場合は、湾内の小さな波で船体が常に揺れているため、ワイヤロープＷを強く張っていると、船体の揺れでワイヤロープＷが切れてしまう。そのため、ワイヤロープＷは、適度に弛んだ状態で結んで、少なくともコンテナ貨物Ｂが大きく揺れるのを防止し、船倉Ａ内でコンテナ貨物同士が衝突したりコンテナ貨物間に作業員が挟まったりする事故の発生を防止する必要がある。そこで、ロープクリップＣは、ロープ押えカム２０の係合穴２２にフック５０ａを係合して繋いだレバーホイスト５０のチェーン５５を巻き上げて、ワイヤロープＷの張り具合を調節し、適度に弛んだ状態でコンテナ貨物Ｂに結んだワイヤロープＷを挟持する。
【００２６】
ロープクリップＣは、そのようにワイヤロープＷを挟持するときは、片手でレバーハンドル４０・４１を握って、図２中鎖線で示すように、ロープ押えカム２０を付勢ばね３０に抗して図中反時計方向に回動し、ホルダ１０のロープ嵌込口３５を開放して差し通し溝１５を外部に臨ませた状態にしてから、ワイヤロープＷの所望グリップ部位を、ロープ嵌込口３５から横に差し通し溝１５に嵌め込んで長さ方向に差し通し状態で挿設する。しかる後、レバーハンドル４０・４１の握りを緩めると、ロープ押えカム２０が付勢ばね３０の付勢力によって図中時計方向に回動し、このばね付勢力でカム面４５の凹溝４５ａをワイヤロープＷに押し付けてカム面４５と差し通し溝１５との間でワイヤロープＷを挟持する。それから、ロープクリップＣでは、念のため、掛け金具１８のフック部１８ａを受け具１９に掛け止め、たとえ付勢ばね３０の付勢力が利かない事態になってもワイヤロープＷがホルダ１０の差し通し溝１５から外れないようにしておく。
【００２７】
以上のごとく、ロープクリップＣは、付勢ばね３０の付勢力に基づいてロープ押えカム２０を押し付けてワイヤロープＷを挟持するので、ワイヤロープＷは常に張り渡し状態になくてもよく、それ故に、適度に弛んだ状態でワイヤロープＷを結んでコンテナ貨物等を固持する水切り作業においても、ワイヤロープＷの弛みに関係なく、クリップ位置をずらさずにワイヤロープＷを常に確実に掴んで挟持することができる。
【００２８】
従って、そのような水切りに限らず、コンテナ貨物等の重量物を、所定の設置位置へ移動させるためにワイヤロープＷを使って押したり引いたりして芯出し作業をする場合など、作業途中にワイヤロープＷが緩んだ状態になる作業においても、同様に、ワイヤロープＷの弛みに関係なく、クリップ位置をずらさないでワイヤロープＷを常に確実に掴んで挟持することができる。それ故に、ロープクリップＣでは、そのような水切りや芯出し等の作業を行う際に、弛むワイヤロープＷであっても、クリップ位置をずらさないで常に確実に挟持することから、レバーホイスト等の引張手段を操作する作業者とは別に、他の作業者がクリップ位置の近くで、ずれ動かないようにロープクリップＣを押える必要がなく、それだけ作業者の員数の増加を抑えて作業効率を上げることができる。
【００２９】
更に、上述のようにロープクリップＣは、ワイヤロープＷを挟持するとき、片手でレバーハンドル４０・４１を握ってロープ押えカム２０を回動し、ホルダ１０のロープ嵌込口３５を開放して差し通し溝１５を外部に臨ませた状態にしてから、ワイヤロープＷの所望グリップ部位を、ロープ嵌込口３５から横に差し通し溝１５に嵌め込んで差し通し状態にすれば、あとはレバーハンドル４０・４１の握りを緩めるだけでよく、そうすれば、ロープ押えカム２０が付勢ばね３０の付勢力で逆向きに回動してワイヤロープＷを押し付け、従来のような分解部品の組み立て工程なしで、手間なく簡単にワイヤロープＷを挟持することができる。
【００３０】
一方、ロープクリップＣは、挟持したワイヤロープＷから取り外すときは、片手でレバーハンドル４０・４１を握ってロープ押えカム２０を回動し、ロープ嵌込口３５を開放して差し通し溝１５からワイヤロープＷのグリップ部位を取り出すだけで済み、いちいち部品を分解することなく、手間なく簡単にロープクリップＣをワイヤロープＷから取り外すことができる。また、ロープクリップＣは、ワイヤロープＷを取り替えるときも、片手でレバーハンドル４０・４１を握ってロープ押えカム２０を回動し、ロープ嵌込口３５を開放して差し通し溝１５からワイヤロープＷのグリップ部位を取り出して後、そのまま新たなワイヤロープのグリップ部位を、ロープ嵌込口３５から横に差し通し溝１５に差し通し状態に嵌め込めば、あとはレバーハンドル４０・４１の握りを緩めるだけでよく、手間なく簡単にワイヤロープを取り替えることができる。
【００３１】
更に、ロープクリップＣは、必要に応じて、ワイヤロープＷのクリップ位置を変更する場合も、片手でレバーハンドル４０・４１を握ってロープ押えカム２０を回動し、付勢ばね３０によるカム面４５のワイヤロープＷに対する押し付けを緩めれば、後は、そのままワイヤロープＷの長さ方向にずれ動かすだけで済み、手間なく簡単にクリップ位置を調整することができる。
【００３２】
以って、ロープクリップＣは、ワイヤロープＷのクリップ位置が、たとえ高所であっても、以上のようにワイヤロープＷを挟持して取り付ける作業のほか、その取外しやロープ取替えやクリップ位置の変更等の作業が手間なく簡単であるため、それだけ危険性が少なく、高所作業を安全に行うことができる。
【００３３】
ところで、図示ロープクリップＣは、引張手段のフック５０ａ等を係合する係合穴２２を１つ、ロープ押えカム２０に備える構成であったが、本発明のロープクリップは、それに限らず、例えば図６に示すように、ホルダ１０の第１側板１１のロープ挿設部１１ｂにロープ掛け板部１１ｃを突設し、このロープ掛け板部１１ｃにも係合穴３２を設け、以って、カム軸２５を間に挟んで一側に第１の係合穴２２を、その反対の他側に第２の係合穴３２を備える構成にするなど、フック等を係合する係合穴を２つ以上設けることによって使用態様を広げることができる。
【００３４】
例えば図示他例のロープクリップＣは、図７に示すように、第１の係合穴２２に、一側フック６０ａを固定台６１に繋いだチェーンブロック６０の他側フック６０ｂを係合する一方、ワイヤロープＷの一端ロープ部６５ａをロープ押えカム２０で押し付けて挟持し、中間ロープ部６５ｂをコンテナ貨物Ｂの掛け止め具６２に掛けてワイヤロープＷをループ状に掛け回し、第２の係合穴３２に、このワイヤロープＷの他端ロープ部６５ｃの掛け止め具６３を係合させて、コンテナ貨物Ｂを荷振れ防止状態で固持する。従って、図示他例のロープクリップＣでは、係合穴２２・３２を有することにより、コンテナ貨物Ｂに結んだワイヤロープＷをループ状の２本掛けにして引張強度を２倍に上げる使い方をすることができる。
【００３５】
なお、以上の図示例では、ロープクリップＣで挟持するロープがワイヤロープＷであったが、ロープは、そのような鋼索に限らず、織糸綱のほか、紐状のものや帯状のものや太径なワイヤー状のもの等であってもよい。
【符号の説明】
【００３６】
Ｃ              ロープクリップ
Ｓ              カム回動空間
Ｗ              ワイヤロープ（ロープ）
１０            ホルダ
１５            差し通し溝
２０            ロープ押えカム
２５            カム軸
３０            付勢ばね
３５            ロープ嵌込口
４０・４１      レバーハンドル
４５            カム面
５０            レバーホイスト
５０ａ          フック
５５            チェーン
【図１】
2010286080.tif 000003
【図２】
2010286080.tif 000004
【図３】
2010286080.tif 000005
【図４】
2010286080.tif 000006
【図５】
2010286080.tif 000007
【図６】
2010286080.tif 000008
【図７】
2010286080.tif 000009
【図８】
2010286080.tif 000010
【図９】
2010286080.tif 000011
【図１０】
2010286080.tif 000012